(57)【要約】  地面に設置されるスチームトラップ等のバルブの設置姿勢を安定させること。  スチームトラップ（バルブ）（１）の設置台（１０）は、スチームトラップ（１）が取り付けられる固定部材（１１）と、地面に接地するベース板（１６）を有し、固定部材（１１）を支持する支持部材（１５）とを備えている。そして、固定部材（１１）は、支持部材（１５）に着脱可能に支持されている。
2016140191.tif 000002
【特許請求の範囲】
【請求項１】
バルブが取り付けられる固定部材と、  地面に接地するベース板を有し、上記固定部材を支持する支持部材とを備えていることを特徴とするバルブの設置台。
【請求項２】
請求項１に記載のバルブの設置台において、  上記固定部材は、上記支持部材に着脱可能に支持されていることを特徴とするバルブの設置台。
【請求項３】
請求項２に記載のバルブの設置台において、  上記固定部材は、上記バルブの取付座と、鉛直方向に延びて形成され、上端が上記取付座に接合される柱状部とを有し、  上記支持部材は、鉛直方向に延びて形成され、下端が上記ベース板に接合される柱状部を有し、  上記両者の柱状部の一方は筒状に形成され、該一方の上記柱状部に他方の上記柱状部が挿入されることにより、上記固定部材は上記支持部材に着脱可能に支持されていることを特徴とするバルブの設置台。
【請求項４】
請求項３に記載のバルブの設置台において、  上記両者の柱状部は、互いに回転可能に構成されていることを特徴とするバルブの設置台。
【請求項５】
請求項３に記載のバルブの設置台において、  上記一方の筒状の柱状部には、その外周面からねじ込まれて上記他方の柱状部に接することにより、上記固定部材の柱状部をその鉛直方向において位置決めする固定ねじが設けられていることを特徴とするバルブの設置台。
【請求項６】
請求項３に記載のバルブの設置台において、  上記ベース板は、平板状の基部と、該基部から下方に延びて地面に接地する脚部とを有し、  上記支持部材の柱状部は、下端が上記ベース板の基部に貫通して接合されると共に、該貫通した端部の外周面に雄ねじ部が形成され、  上記支持部材は、上記柱状部の上記雄ねじ部と螺合するねじ孔が設けられた錘を有していることを特徴とするバルブの設置台。
【請求項７】
請求項１乃至５の何れか１項に記載のバルブの設置台において、  上記支持部材のベース板は、矩形の平板状の基部と、該基部の対向する一対の片から直角に延びて地面に接地する片状の脚部とを有し、  上記ベース板の脚部には、他の上記ベース板の脚部とボルトで連結可能な連結孔が設けられていることを特徴とするバルブの設置台。
【請求項８】
請求項７に記載のバルブの設置台において、  上記互いに連結される脚部の一方は、上記連結孔が長孔状に形成されていることを特徴とするバルブの設置台。 
【発明の詳細な説明】
【技術分野】
【０００１】  本願は、スチームトラップ等のバルブを設置するための設置台に関するものである。
【背景技術】
【０００２】  従来より、スチームトラップ等のバルブが知られており、例えば特許文献１に開示されているように、センサおよび通信機（電子アナライザ）が設けられたスチームトラップ（バルブ）も知られている。このスチームトラップでは、該スチームトラップの温度等がセンサによって検出され、その検出値に関する信号が通信機から別の受信機に送信される。こうして、スチームトラップの温度等を遠隔監視するようにしている。
【先行技術文献】
【特許文献】
【０００３】
【特許文献１】特表２００１−５００９５２号公報
【発明の概要】
【発明が解決しようとする課題】
【０００４】  ところで、上述したようなバルブは、銅管等の強度が比較的低い配管によって接続されて地面に載置される場合がある。しかしながら、この場合、少しの衝撃で配管が曲がってしまい、それによって、バルブの設置姿勢が不安定になるという問題があった。特に、上記特許文献１に開示されているスチームトラップのように、センサや通信機が設けられるものでは、全体の重心位置が高くなるため、スチームトラップの設置姿勢がより不安定となってしまう。【０００５】  本願に開示の技術は、かかる事情に鑑みてなされたものであり、その目的は、地面に設置されるスチームトラップ等のバルブの設置姿勢を安定させることにある。
【課題を解決するための手段】
【０００６】  本願に開示の技術は、固定部材と支持部材を備えたバルブの設置台である。上記固定部材は、バルブが取り付けられるものである。上記支持部材は、地面に接地するベース板を有し、上記固定部材を支持するものである。
【発明の効果】
【０００７】  本願のバルブの設置台によれば、バルブが取り付けられる固定部材と、地面に接地するベース板を有し、固定部材を支持する支持部材とを備えているため、ベース板により固定部材の姿勢が安定する。したがって、固定部材に取り付けられたバルブの設置姿勢も安定させることができる。
【図面の簡単な説明】
【０００８】
【図１】図１は、実施形態１に係る設置台にスチームトラップが取り付けられた状態の一例を示す斜視図である。
【図２】図２は、実施形態１に係る設置台にスチームトラップが取り付けられた状態の一例を示す正面図である。
【図３】図３は、実施形態１に係る設置台にスチームトラップが取り付けられた状態の一例を示す側面図である。
【図４】図４は、実施形態１に係る設置台の概略構成を示す分解斜視図である。
【図５】図５は、実施形態１に係る設置台にスチームトラップが取り付けられた状態の別の例を示す斜視図である。
【図６】図６は、実施形態１の変形例に係る設置台を複数連結した状態を上方から視て示す斜視図である。
【図７】図７は、実施形態１の変形例に係る設置台を複数連結した状態を下方から視て示す斜視図である。
【図８】図８は、清掃機構を備えたスチームトラップの概略構成を示す断面図である。
【図９】図９は、実施形態２に係る設置台にスチームトラップが取り付けられた状態を示す斜視図である。
【発明を実施するための形態】
【０００９】  以下、本願の実施形態について図面を参照しながら説明する。なお、以下の実施形態は、本質的に好ましい例示であって、本願に開示の技術、その適用物、あるいはその用途の範囲を制限することを意図するものではない。
【００１０】  （実施形態１）  本願の実施形態１について説明する。図１〜図３に示すように、本実施形態の設置台１０は、バルブを地面に設置するためのものである。ここでは、バルブとしてスチームトラップ１を例示して説明する。スチームトラップ１は、例えば蒸気システムに設けられ、該システムで発生したドレン（復水）が流入し、その流入したドレンのみを自動的に排出するものである。スチームトラップ１は、入口部および出口部に銅管２が継手部材３によって接続されている。
【００１１】  図４にも示すように、本実施形態の設置台１０は、固定部材１１と支持部材１５を備えている。本実施形態において、固定部材１１と支持部材１５とは互いに着脱可能に構成されている。
【００１２】  固定部材１１は、取付座１２と筒状部１３を有している。取付座１２は、スチームトラップ１が取り付けられる部材である。取付座１２は、矩形の板状部材が折り曲げられてなり、水平部１２ａと、該水平部１２ａの両端に連続する２つの鉛直部１２ｂとを有している。つまり、取付座１２は横断面がコの字状に形成された板状部材である。そして、取付座１２は、コの字の開放側が上方に向く状態で設けられ、その内部にスチームトラップ１が載置される。つまり、スチームトラップ１は取付座１２の水平部１２ａに載置される。
【００１３】  また、取付座１２では、一方の鉛直部１２ｂにねじ孔１２ｃが設けられており、そのねじ孔１２ｃに固定ねじ１２ｄをねじ込むことによって、スチームトラップ１が固定される。つまり、スチームトラップ１は固定ねじ１２ｄによって上記鉛直部１２ｂと反対側の鉛直部１２ｂに押し付けられて固定される。
【００１４】  筒状部１３は、鉛直方向に延びる円筒状に形成されている。筒状部１３は、上端が取付座１２における水平部１２ａの下面に接合されて設けられている。つまり、筒状部１３は、鉛直方向に延びて形成され、上端が取付座１２に接合される柱状部を構成している。なお、筒状部１３は水平部１２ａの下面の中央に固定されている。こうして、固定部材１１では取付座１２と筒状部１３とが一体に設けられている。
【００１５】  支持部材１５は、ベース板１６と支柱１７を有し、上述した固定部材１１を支持するものである。ベース板１６は、地面に接地する部材である。ベース板１６は、矩形の板状部材が折り曲げられてなり、基部１６ａと、該基部１６ａに連続する２つの脚部１６ｂとを有している。基部１６ａは、水平な矩形の平板状に形成されている。脚部１６ｂは、基部１６ａから下方に延びて地面に接地する部分である。具体的に、２つの脚部１６ｂは、基部１６ａの対向する一対の片から直角に延びる片状のものである。こうして脚部１６ｂが設けられることにより、ベース板１６では基部１６ａと地面との間に間隔が設けられる。
【００１６】  支柱１７は、鉛直方向に延びる円筒状に形成されている。図３に示すように、支柱１７は、下端がベース板１６の基部１６ａに貫通して接合されている。支柱１７の下端は、地面に接しない程度に基部１６ａから下方に突出している。つまり、支柱１７は、鉛直方向に延びて形成され、下端がベース板１６に接合される柱状部を構成している。こうして、支持部材１５ではベース板１６と支柱１７とが一体に設けられている。
【００１７】  支柱１７は、外径が固定部材１１の筒状部１３の内径よりも若干小さく形成されており、該筒状部１３に挿入される。こうして支柱１７が筒状部１３に挿入されることにより、固定部材１１が支持部材１５に着脱可能に支持される。また、筒状部１３および支柱１７は、互いに回転可能に挿入されている。つまり、固定部材１１は、支柱１７が筒状部１３に挿入された状態で回転可能となっている。
【００１８】  固定部材１１の筒状部１３には、その外周面からねじ込まれて支柱１７に接することにより、固定部材１１の筒状部１３をその鉛直方向において位置決めする固定ねじ１３ｂが設けられている。具体的に、固定部材１１の筒状部１３には、外周面にナット１３ａが取り付けられている。設置台１０では、支柱１７が筒状部１３に挿入された状態において、固定ねじ１３ｂを筒状部１３のナット１３ａにねじ込んで支柱１７に接触させることにより、固定部材１１が支持部材１５に固定される。つまり、固定部材１１の鉛直方向位置および回転方向位置が固定される。なお、図示しないが、筒状部１３には固定ねじ１３ｂの挿通孔が設けられている。
【００１９】  さらに、支持部材１５は、図３に示すように錘１８を有している。錘１８は、支柱１７に着脱可能に取り付けられている。具体的に、支柱１７は、基部１６ａから下方に突出した端部の外周面に雄ねじ部１７ａが形成されている。錘１８は、ベース板１６の基部１６ａと地面との間に収容される大きさに形成されており、例えば円板状に形成されている。そして、錘１８には支柱１７の雄ねじ部１７ａと螺合するねじ孔１８ａが設けられている。錘１８は、支柱１７の雄ねじ部１７ａと螺合して該支柱１７に取り付けられる。
【００２０】  また、ベース板１６の脚部１６ｂには連結孔１６ｃが設けられている。この点については後述する。
【００２１】  以上より、上記実施形態の設置台１０によれば、スチームトラップ１（バルブ）が取り付けられる固定部材１１と、地面に接地するベース板１６を有し、固定部材１１を支持する支持部材１５とを備えているため、ベース板１６により固定部材１１が安定に支持される。したがって、固定部材１１に取り付けられたスチームトラップ１の設置姿勢を安定させることができる。
【００２２】  また、上記実施形態の設置台１０によれば、固定部材１１が支持部材１５に着脱可能に支持されているため、スチームトラップ１のメンテナンスや交換等を容易に行うことができる。即ち、例えばスチームトラップ１を点検する場合、固定部材１１を取り外すことで点検を容易に行うことができる。また、スチームトラップ１を交換する場合、予め工場で新たなスチームトラップ１を取り付けた固定部材１１を用意しておくことにより、現場ではその固定部材１１を支持部材１５に取り付けるだけでよい。このように、固定部材１１を着脱可能に構成することにより、現場作業の簡易化を図ることができる。
【００２３】  特に、上記実施形態の設置台１０では、固定部材１１の筒状部１３に支持部材１５の支柱１７を挿入させるだけで固定部材１１を支持することができるため、固定部材１１を容易に着脱させることができる。
【００２４】  また、上記実施形態の設置台１０によれば、固定部材１１の筒状部１３と支持部材１５の支柱１７とが互いに回転可能に挿入されているため、固定部材１１を回転させることにより、スチームトラップ１の向きを現場の状況に応じて容易に変更することができる。これによっても、現場作業の簡易化を図ることができる。
【００２５】  また、上記実施形態の設置台１０によれば、固定部材１１の筒状部１３をその鉛直方向において位置決めする固定ねじ１３ｂを筒状部１３に設けるようにしたため、固定部材１１の高さ（鉛直方向位置）を任意に調整することができる。さらに、この固定ねじ１３ｂを設けることにより、上述した筒状部１３と支柱１７とが互いに回転可能に挿入されることと相まって、固定部材１１の回転方向位置をも任意に調整することができる。
【００２６】  また、上記実施形態の設置台１０によれば、支持部材１５に錘１８を取り付けるようにしたため、最下に位置する支持部材１５の重量を稼ぐことができる。これにより、固定部材１１を一層安定に支持することができ、スチームトラップ１の設置姿勢の安定化を一層図ることできる。
【００２７】  特に、図５に示すように、スチームトラップ１にセンサ４等が設けられる場合に上記の錘１８は有効である。図５に示す形態では、スチームトラップ１は入口部と出口部が上下に位置する状態で取付座１２に取り付けられ、スチームトラップ１には横向きにセンサ４が取り付けられている。センサ４には、接続管５を介して通信機６が接続されている。このスチームトラップ１では、センサ４によってスチームトラップ１の温度や振動が検出される。通信機６は、アンテナ６ａを有しており、センサ４の検出信号を外部に送信する。この形態のスチームトラップ１では、センサ４や通信機６等が設けられることで重量が増大するが、上記の錘１８を支持部材１５に取り付けることで、固定部材１１を確実且つ安定に支持することができる。
【００２８】  特に、錘１８は支持部材１５の支柱１７に螺合によって取り付けるようにしたため、錘１８を必要に応じて容易に着脱することができる。これにより、現場作業の簡易化を図ることができる。また、支柱１７を利用して錘１８を取り付けるようにしたため、錘１８の取付部材を別途設けなくてすむ。これにより、部品点数の削減を図ることができる。また、支持部材１５における基部１６ａと地面との間のスペース（間隔）に錘１８を取り付けるようにしたため、設置台１０の小型化を図ることができる。
【００２９】  また、上記実施形態の設置台１０によれば、スチームトラップ１の取付座１２は、横断面がコの字状に形成され、コの字の開放側が上方に向く状態で設けられている。こうすることで、取付座１２では、水平方向の両端が開放されるので、容易に銅管２を接続することができる。
【００３０】  また、上記実施形態の設置台１０によれば、ベース板１６は、平板状の基部１６ａから下方に延びる脚部１６ｂを有するようにしたため、例えば地面が凹凸のある土や砂の場合であってもベース板１６を安定に接地させることができる。例えばベース板が水平な平板のみで構成されている場合、凹凸のある土や砂の地面ではベース板を水平に接地するのが困難になるが、上記実施形態のベース板１６の場合、脚部１６ｂを土等にある程度差し込むことでベース板１６を水平に接地させることができる。
【００３１】  （実施形態１の変形例）  本変形例は、図６および図７に示すように、上記実施形態の設置台を複数連結するようにしたものである。ここでは、一例として、３つの設置台１０ａ，１０ｂ，１０ｃを連結する場合について説明するが、２つまたは４以上の設置台を連結するようにしてもよい。
【００３２】  本変形例では、３つの設置台１０ａ，１０ｂ，１０ｃが横並びに連結されている。上記実施形態においても説明したように、各設置台１０ａ，１０ｂ，１０ｃでは、ベース板１６の脚部１６ｂに２つの連結孔１６ｃが設けられている。脚部１６ｂの連結孔１６ｃは、他のベース板１６の脚部１６ｂと連結ボルト１６ｄで連結可能な孔である。具体的に、各設置台１０ａ，１０ｂ，１０ｃのベース板１６では、一方（図６では右側、図７では左側）の脚部１６ｂにねじ孔である連結孔１６ｃが設けられ、他方（図６では左側、図７では右側）の脚部１６ｂに長孔状の連結孔１６ｃが設けられている。つまり、互いに連結される脚部１６ｂの一方は、連結孔１６ｃが長孔状に形成されている。図７に示すように、互いのベース板１６の脚部１６ｂが接した状態で、連結ボルト１６ｄをねじ込むことによって複数の支持部材１５（設置台１０ａ，１０ｂ，１０ｃ）が連結される。なお、図６および図７では、長孔状の連結孔１６ｃは図示を省略している。
【００３３】  こうして、複数の設置台１０ａ，１０ｂ，１０ｃが連結されることにより、設置台を単体で設ける場合に比べて、接地するベース板１６全体の面積が増大すると共に、支持部材１５全体の重量が増大する。これにより、固定部材１１（設置台１０ａ，１０ｂ，１０ｃ）の安定性が増す。
【００３４】  また、互いに連結される脚部１６ｂの一方の連結孔１６ｃを長孔状に形成しているため、各設置台１０ａ，１０ｂ，１０ｃの前後方向（即ち、設置台１０ａ，１０ｂ，１０ｃの連結方向と垂直な水平方向）の位置を調整することができる。なお、連結孔１６ｃの数量は１つまたは３つ以上であってもよいことは勿論である。
【００３５】  各設置台１０ａ，１０ｂ，１０ｃの取付座１２には、一例として、形状や大きさが互いに異なるスチームトラップ７，８，９が取り付けられている。特に、スチームトラップ７，８は、清掃機構７ａ，８ａが設けられているものである（図７参照）。スチームトラップ７，８では、清掃機構７ａ，８ａがやや斜め下に向かって突出している。このスチームトラップ７，８が取り付けられる設置台１０ａ，１０ｂでは、清掃機構７ａ，８ａが干渉しないように、取付座１２の水平部１２ａに切欠きが形成されている（図７参照）。
【００３６】  〈スチームトラップの構造〉  上述した清掃機構を備えたスチームトラップの構造について、その一例を図８を参照しながら説明する。スチームトラップ２０は、本体部２２と蓋部２３とがボルトで締結されてなるケーシング２１を備えている。ケーシング２１には、ドレンの流入通路２５、貯留室２４および排出通路２６が形成されている。貯留室２４には、球形のフロート２７が自由状態で配置されている。蓋部２３には弁座２８が設けられ、弁座２８には貯留室２４と排出通路２６とを連通させる排出路２９が形成されている。スチームトラップ２０では、ドレンが流入通路２５から貯留室２４に流入して貯留される。フロート２７が弁座２８に離着座することにより、弁座２８の排出路２９が開閉される。排出路２９が開放されると、貯留室２４のドレンが排出路２９を介して排出通路２６に流れ外部に排出される。
【００３７】  蓋部２３には、弁座２８の排出路２９に詰まった異物を除去する清掃機構３０が設けられている。清掃機構３０は、プラグ３１、第１操作部材３２、第２操作部材３３およびバイメタル３６を備えている。プラグ３１は、蓋部２３において弁座２８と同軸にねじ結合されている。第１操作部材３２は、プラグ３１に貫通して設けられる棒状部材であり、その軸方向（弁座２８と同軸方向）に進退可能にプラグ３１にねじ結合されている。第２操作部材３３は、第１操作部材３２の先端部に被せられた棒状部材であり、弁座２８と同軸に設けられている。なお、プラグ３１には第１操作部材３２との間をシールするパッキン３４が設けられており、そのパッキン３４は外方から押え部材３５をプラグ３１にねじ込むことにより固定されている。バイメタル３６は、第１操作部材３２および第２操作部材３３の周囲に設けられる温度応動部材である。
【００３８】  清掃機構３０では、弁座２８の排出路２９に異物が詰まって、貯留室２４のドレンが正常に排出されなくなると、バイメタル３６が低温により変形し第２操作部材３３を前進させる。これにより、第２操作部材３３の先端が弁座２８の排出路２９に進入し、排出路２９の異物が第２操作部材３３によって除去される。また、清掃機構３０では手動によっても排出路２９の異物を除去することができる。即ち、第１操作部材３２をねじ込んで前進させることにより、第２操作部材３３が前進する。これにより、第２操作部材３３の先端が排出路２９に進入し、排出路２９の異物が除去される。
【００３９】  このように清掃機構３０を備えたスチームトラップ２０では、清掃機構３０を手動で操作するための操作スペースが必要になる。つまり、スチームトラップ２０の下方において操作スペースが必要である。この点、上記実施形態およびその変形例で説明した設置台１０，１０ａ，１０ｂ，１０ｃによれば、取付座１２が筒状部１３および支柱１７によりベース板１６と間隔を置いて設けられるため、スチームトラップ１，７，８，９の下方に上述した操作スペースを確保することができる。したがって、現場において清掃機構の手動操作を容易にすることができる。
【００４０】  （実施形態２）  本願の実施形態２について図９を参照しながら説明する。本実施形態の設置台４０は、固定部材４１とベース板４５を備えている。
【００４１】  固定部材４１は、スチームトラップ１が取り付けられる部材である。固定部材４１は、矩形の板状部材が折り曲げられてなり、横断面がコの字状に形成されている。固定部材４１は、コの字の開放側が水平方向に向く状態で設けられ、鉛直方向に延びる柱状に形成されている。スチームトラップ１は、固定部材４１の内部の上部に取り付けられている。固定部材４１は、固定部材４１の外面には、ナット４１ａが取り付けられている。固定部材４１では、ナット４１ａに固定ねじ４１ｂをねじ込むことによって、スチームトラップ１が固定される。なお、図示しないが、固定部材４１には固定ねじ４１ｂの挿通孔が設けられている。
【００４２】  ベース板４５は、地面に接地する部材であり、矩形の平板状に形成されている。ベース板４５の上面には、固定部材４１の下端が接合されている。つまり、ベース板４５は固定部材４１を支持する支持部材を構成している。本実施形態の設置台４０においても、固定部材４１とベース板４５（支持部材）を備えているため、固定部材４１を安定に支持することができ、その固定部材４１に取り付けられたスチームトラップ１の設置姿勢を安定させることができる。
【００４３】  また、本実施形態の設置台４０では、スチームトラップ１を固定部材４１の上部に取り付けているため、容易に銅管２をスチームトラップ１に接続することができる。また、スチームトラップ１は上述した清掃機構１ａを備えている。固定部材４１では、コの字の開放側に清掃機構１ａが位置するようにスチームトラップ１が取り付けられている。そのため、スチームトラップ１が固定部材４１の上部に取り付けられていることと相まって、清掃機構１ａの操作スペースを充分に確保することができる。
【００４４】  また、本実施形態のスチームトラップ１も、図５に示すスチームトラップ１と同様、センサ４、接続管５および通信機６が設けられている。この場合でも、固定部材４１を安定に支持することができ、スチームトラップ１の設置姿勢を安定に保つことができる。
【００４５】  なお、上記実施形態１では、支持部材１５の支柱１７を固定部材１１の筒状部１３の内部に挿入するようにしたが、本願の設置台は、固定部材１１の筒状部１３を支持部材１５の支柱１７の内部に挿入するようにしてもよい。
【００４６】  また、固定部材１１の筒状部１３および支持部材１５の支柱１７のうち、一方が円筒状に形成され他方が中実の円柱状に形成され、円筒状に円柱状を挿入するようにしてもよい。
【００４７】  また、上記実施形態１では、固定部材１１の筒状部１３および支持部材１５の支柱１７を円筒状に形成するようにしたが、これに限らず、四角形等の角形の筒状に形成するようにしてもよい。つまり、本願の設置台では、筒状部１３および支柱１７は互いに挿入可能な筒状であればよい。
【００４８】  また、上記各実施形態では、バルブとしてスチームトラップを取り付ける場合について説明したが、本願の設置台は、他のバルブであっても同様に適用することができる。
【００４９】  また、本願の設置台は、バルブ以外の流体機器、例えばストレーナを取り付ける場合でも適用することができる。
【産業上の利用可能性】
【００５０】  本願に開示の技術は、スチームトラップ等のバルブを設置するための設置台について有用である。
【符号の説明】
【００５１】１        スチームトラップ１０,４０      設置台１１,４１      固定部材１２      取付座１３      筒状部（柱状部）１３ｂ    固定ねじ１５      支持部材１６,４５      ベース板１６ａ    基部１６ｂ    脚部１６ｃ    連結孔１７      支柱（柱状部）１７ａ    雄ねじ部１８      錘１８ａ    ねじ孔
【図１】
2016140191.tif 000003
【図２】
2016140191.tif 000004
【図３】
2016140191.tif 000005
【図４】
2016140191.tif 000006
【図５】
2016140191.tif 000007
【図６】
2016140191.tif 000008
【図７】
2016140191.tif 000009
【図８】
2016140191.tif 000010
【図９】
2016140191.tif 000011
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
バルブが取り付けられる固定部材と、
地面に接地するベース板を有し、上記固定部材を支持する支持部材とを備え、
上記固定部材は、上記バルブの取付座と、鉛直方向に延びて形成され、上端が上記取付座に接合される柱状部とを有している
ことを特徴とするバルブの設置台。
【請求項２】
請求項１に記載のバルブの設置台において、
上記固定部材は、上記支持部材に着脱可能に支持されている
ことを特徴とするバルブの設置台。
【請求項３】
請求項２に記載のバルブの設置台において、
上記支持部材は、鉛直方向に延びて形成され、下端が上記ベース板に接合される柱状部を有し、
上記両者の柱状部の一方は筒状に形成され、該一方の上記柱状部に他方の上記柱状部が挿入されることにより、上記固定部材は上記支持部材に着脱可能に支持されている
ことを特徴とするバルブの設置台。
【請求項４】
請求項３に記載のバルブの設置台において、
上記両者の柱状部は、互いに回転可能に構成されている
ことを特徴とするバルブの設置台。
【請求項５】
請求項３に記載のバルブの設置台において、
上記一方の筒状の柱状部には、その外周面からねじ込まれて上記他方の柱状部に接することにより、上記固定部材の柱状部をその鉛直方向において位置決めする固定ねじが設けられている
ことを特徴とするバルブの設置台。
【請求項６】
請求項３に記載のバルブの設置台において、
上記ベース板は、平板状の基部と、該基部から下方に延びて地面に接地する脚部とを有し、
上記支持部材の柱状部は、下端が上記ベース板の基部に貫通して接合されると共に、該貫通した端部の外周面に雄ねじ部が形成され、
上記支持部材は、上記柱状部の上記雄ねじ部と螺合するねじ孔が設けられた錘を有している
ことを特徴とするバルブの設置台。
【請求項７】
請求項１乃至５の何れか１項に記載のバルブの設置台において、
上記支持部材のベース板は、矩形の平板状の基部と、該基部の対向する一対の片から直角に延びて地面に接地する片状の脚部とを有し、
上記ベース板の脚部には、他の上記ベース板の脚部とボルトで連結可能な連結孔が設けられている
ことを特徴とするバルブの設置台。
【請求項８】
バルブが取り付けられる固定部材と、
地面に接地するベース板を有し、上記固定部材を支持する支持部材とを備え、
上記支持部材のベース板は、矩形の平板状の基部と、該基部の対向する一対の片から直角に延びて地面に接地する片状の脚部とを有している
ことを特徴とするバルブの設置台。
【請求項９】
請求項８に記載のバルブの設置台において、
上記ベース板の脚部には、他の上記ベース板の脚部とボルトで連結可能な連結孔が設けられている
ことを特徴とするバルブの設置台。
【請求項１０】
請求項７または９に記載のバルブの設置台において、
上記互いに連結される脚部の一方は、上記連結孔が長孔状に形成されている
ことを特徴とするバルブの設置台。
【国際調査報告】
2016140191.tif 000012
2016140191.tif 000013
2016140191.tif 000014
2016140191.tif 000015